(57)【要約】【課題】離れたところからでも本装置の状態を的確に知ることができるＸ線診断装置を提供する。【解決手段】状態検知部は回診用Ｘ線装置１の状態を検知し、発光表示部５３は多色発光表示および点滅表示を行うものであり、記憶部は回診用Ｘ線装置１の状態ごとに予め定められた発光表示部５３の表示態様データを記憶していて、表示制御部は、状態検知部からの検知結果に対応する、記憶部に記憶済みの表示態様データに基づいて、発光表示部５３を表示制御するので、回診用Ｘ線装置１の状態を発光表示部５３の発光色および点滅によって表示することができ、使用者は発光表示部５３の発光色および点滅を見ることで離れたところからでも瞬時に回診用Ｘ線装置１の状態を的確に知ることができる。【選択図】 図１
2008259881.tif 000002
【特許請求の範囲】
【請求項１】
走行ハンドルを操作することで移動可能に構成された回診用Ｘ線診断装置において、
Ｘ線管と、前記Ｘ線管を回転自在に支持する支柱と、前記Ｘ線管で発生したＸ線を所定の形状に成形して出射させると共に正面に発光表示部を設けたコリメータからなり、収納状態で前記コリメータ正面が前記走行ハンドル側を向くよう収納可能に構成されたＸ線撮像系と、
前記Ｘ線撮像系が収納状態にあることを検知する収納状態検知手段と、
前記収納状態検知手段により前記Ｘ線撮像系が収納状態にあると検知されたときに収納状態にあることを前記発光表示部に示させ、また、Ｘ線撮影に関する状態にある場合は、Ｘ線撮影に関する状態にあることを前記発光表示部に示させる制御手段とを備えたことを特徴とする回診用Ｘ線診断装置。
【発明の詳細な説明】
【技術分野】
【０００１】
この発明は、医療施設等で用いられるＸ線透視撮影装置などのＸ線診断装置に係り、特に、Ｘ線診断装置から離れたところからでもこのＸ線診断装置の状態を的確に知るための技術に関する。
【背景技術】
【０００２】
従来、病院で使用されているＸ線診断装置として回診用Ｘ線装置がある。この回診用Ｘ線装置は、Ｘ線を発生させるＸ線管装置と、前記Ｘ線管装置で発生させたＸ線を所定形状に成形して出射させるためのコリメータと、撮影の実行に必要な様々な入力操作を行うためのＸ線制御パネルと、前記Ｘ線管装置を昇降および回転自在に支持する支持部と、本装置下部に設けられていて本装置を移動させるための台車と、本装置を任意の位置で固定するためのブレーキ部と、複数枚のカセッテが収納可能なカセッテボックスとなどの各部が一体となったものであり、小型軽量で移動性に優れたものである。
【０００３】
この回診用Ｘ線装置で患者のＸ線撮影を行う場合の一例を説明する。まず、カセッテボックスから取り出したカセッテ上に患者の関心部位を載置させる。本装置を患者の方に移動させて、カセッテ上に載置された患者の関心部位にＸ線が照射されるようにＸ線管装置を位置合わせする。操作者はＸ線制御パネルを操作してＸ線撮影準備を行う。Ｘ線撮影準備が完了すると、操作者は本装置に接続されたハンドスイッチを持った状態で本装置から離れて、ハンドスイッチを押してＸ線撮影を実行する。一般的に、操作者は、１日のうちに何回もＸ線撮影を行うことが多く、不用意なＸ線曝射を受けることを避けるために、本装置から離れてハンドスイッチを操作するようにしている。Ｘ線撮影が終了すると、カセッテから取り出された、関心部位が撮影されたフィルムを用いて、医師は患者を診断する。
【発明の開示】
【発明が解決しようとする課題】
【０００４】
しかしながら、このような構成を有する従来例の場合には、次のような問題がある。すなわち、従来の装置では、本装置の状態を示すために、Ｘ線制御パネルの表示スペースに、Ｘ線撮影準備完了、Ｘ線撮影中、警告、故障などを示す各種の点灯表示部がそれぞれ設けられているが、これらの点灯表示部がＸ線制御パネルに配置されることによってこのＸ線制御パネルの表示スペース自体が大きくならないように、個々の点灯表示部を小さくして配置しており、本装置から離れると、Ｘ線制御パネルのどの点灯表示部が点灯しているのかがわかりにくい、つまり、本装置の状態がわかりにくいという問題がある。
【０００５】
この発明は、このような事情に鑑みてなされたものであって、本装置から離れたところからでも本装置の状態を的確に知ることができるＸ線診断装置を提供することを目的とする。
【課題を解決するための手段】
【０００６】
この発明は、走行ハンドルを操作することで移動可能に構成された回診用Ｘ線診断装置において、
Ｘ線管と、前記Ｘ線管を回転自在に支持する支柱と、前記Ｘ線管で発生したＸ線を所定の形状に成形して出射させると共に正面に発光表示部を設けたコリメータからなり、収納状態で前記コリメータ正面が前記走行ハンドル側を向くよう収納可能に構成されたＸ線撮像系と、
前記Ｘ線撮像系が収納状態にあることを検知する収納状態検知手段と、
前記収納状態検知手段により前記Ｘ線撮像系が収納状態にあると検知されたときに収納状態にあることを前記発光表示部に示させ、また、Ｘ線撮影に関する状態にある場合は、Ｘ線撮影に関する状態にあることを前記発光表示部に示させる制御手段とを備えたことを特徴とする。
【発明の効果】
【０００７】
本発明によれば、走行ハンドルを操作することで移動可能に構成された回診用Ｘ線診断装置において、Ｘ線管と、前記Ｘ線管を回転自在に支持する支柱と、前記Ｘ線管で発生したＸ線を所定の形状に成形して出射させると共に正面に発光表示部を設けたコリメータからなり、収納状態で前記コリメータ正面が前記走行ハンドル側を向くよう収納可能に構成されているため、走行ハンドル側から収納可能状態の検知が可能となる。
また、Ｘ線撮像系によりＸ線撮影を行う場合、コリメータ正面から、Ｘ線撮影に関する状態にあることを認識することが可能となる。
【発明を実施するための最良の形態】
【０００８】
以下、この発明のＸ線診断装置の一実施例としての回診用Ｘ線装置を説明する。図１は実施例に係る回診用Ｘ線装置の外観斜視図、図２は実施例装置のカバー部分の斜視図である。
【０００９】
図１に示すように、実施例の回診用Ｘ線装置１（以下、適宜に「本装置１」、「実施例装置１」とも呼ぶ。）は、Ｘ線を発生させるＸ線管装置３と、Ｘ線管装置３で発生させたＸ線を所定形状に成形して出射させるためのコリメータ５と、撮影の実行に必要な様々な入力操作を行うためのＸ線制御パネル７と、本装置１の電源のオンオフを指示するための電源パネル９と、Ｘ線制御パネル７と電源パネル９等が設けられたカバー１１と、Ｘ線制御パネル７と電源パネル９等からの入力指示に基づいて本装置１を制御する制御部１３と、Ｘ線管装置３を昇降および回転自在に支持する支持部１５と、本装置１の下部に設けられていて本装置１を移動させるための台車１７と、本装置１を任意の位置で固定するためのブレーキ部（図示省略）と、複数枚（例えば１０枚）のカセッテが収納可能なカセッテボックス１９と、本装置１から離れた状態でＸ線撮影の開始等を指示するためのハンドスイッチ２１と、本装置１を移動させる際に操作者によって把持される走行ハンドル２３となどの各部が一体となったものであり、小型軽量で移動性に優れている。
【００１０】
この回診用Ｘ線装置１は、例えば、Ｘ線撮影しようとする被検体（例えば、患者）の方に移動させていき、カセッテ上に載置された患者の関心部位にＸ線を照射することで、関心部位のＸ線撮影が実行できるものである。以下、実施例装置１の各部構成を具体的に説明する。
【００１１】
支持部１５は、所定角度範囲内（例えば、基準位置を０度位置として±２７０度の範囲内）で回転可能なように本装置１の下側の基台部２５に設けられた回転台（図示省略）と、この回転台上に立設された支柱２７と、一端が支柱２７に昇降自在に支持され、他端にＸ線管装置３とコリメータ５とが配設されたアーム２９とを備えている。図１に示すように、Ｘ線管装置３とコリメータ５とが走行ハンドル２３側に向いている状態を基準位置（０度位置）とし、基台部２５の回転台（図示省略）が支柱２７周りに±２７０度の範囲内に回転することに伴って、支柱２７自体も回転し、Ｘ線管装置３とコリメータ５とが支柱２７周りに回転可能となっているし、アーム２９が支柱２７に沿って昇降することに伴って、Ｘ線管装置３とコリメータ５とが昇降可能となっている。
【００１２】
実施例の回診用Ｘ線装置１は、アーム２９をアーム連結部３１に下降させた状態、つまり、アーム収納状態にして、操作者により移動されるようにしている。また、アーム２９の対応する箇所には、アーム連結部３１が嵌挿される嵌合部（図示省略）が設けられている。アーム２９を下降させてカバー１１の走行ハンドル２３側にある窪みにコリメータ５を収納させると、アーム連結部３１はアーム２９の嵌合部（図示省略）に嵌合するようになっている。
【００１３】
Ｘ線制御パネル７について図３を用いて説明する。図３は、Ｘ線制御パネルの平面図である。Ｘ線制御パネル７は、患者のＸ線撮影しようとする関心部位を選択指示するための部位選択スイッチ３３と、患者のＸ線撮影方向を選択指示するための撮影方向選択スイッチ３５と、患者の体格を選択指示するための患者体格選択スイッチ３７と、管電圧や管電流の値を表示する管電圧・管電流表示部３９と、撮影準備が完了したときに点灯する撮影準備完了表示部４１と、Ｘ線が曝射されているときに点灯するＸ線撮影中表示部４３と、撮影準備が行えるときに点灯する装置準備表示部４５と、本装置１が正常に機能できないような状態が発生したときに点灯する警告表示部４７と、曝射ができないような故障が発生したときに点灯する故障表示部４９とを備えている。操作者は、これらのスイッチを操作することで、患者の関心部位についての所望の撮影を行うことができる。
【００１４】
なお、図１に示したハンドスイッチ２１は、例えば、操作者によって操作されるボタン部分が２段式になっているタイプのものであり、まず、１段目までボタン部分を押し込むことでＸ線曝射準備を本装置１に指示することができ、そのボタン部分を１段目まで押し込んだ状態からさらに２段目まで押し込むことでＸ線曝射開始を本装置１に指示することができる。
【００１５】
ここで、本実施例の特徴部分の１つである構成について、図４，図５も用いて以下に説明する。図４は本実施例装置での発光表示部の制御構成を示すブロック図、図５は本実施例の発光表示部の構成を示す概略斜視図である。
【００１６】
図４に示すように、この実施例の回診用Ｘ線装置１は、この回診用Ｘ線装置１の状態を検知する状態検知部５１と、多色発光表示および点滅表示を行う発光表示部５３と、回診用Ｘ線装置１の状態ごとに予め定められた発光表示部５３の表示態様データを記憶する記憶部５５と、状態検知部５１からの検知結果に対応する、記憶部５５に記憶済みの表示態様データに基づいて、発光表示部５３を表示制御する表示制御部５７とを備えている。以下に、これらの各構成を具体的に説明する。
【００１７】
状態検知部５１は、回診用Ｘ線装置１の状態として、例えば、Ｘ線撮影系（例えば、Ｘ線管装置３等）のＸ線撮影に関する状態と、Ｘ線撮影系の展開収納状態と、回診用Ｘ線装置１の異常状態とを検知するものである。
【００１８】
Ｘ線撮影系（例えば、Ｘ線管装置３等）のＸ線撮影に関する状態としては、撮影準備が完了した状態である撮影準備完了状態と、撮影準備完了状態が解除された場合あるいは撮影準備完了状態後の所定時間内にＸ線の曝射指示がない場合の操作無効状態と、Ｘ線を曝射している状態であるＸ線撮影中状態と、Ｘ線曝射が完了した状態であるＸ線曝射完了状態とがある。これらの状態は、Ｘ線管装置３やハンドスイッチ２１等をモニタリング（状態検知）することで検出することができる。
【００１９】
Ｘ線撮影系の展開収納状態としては、アーム収納状態とアーム解放（展開）状態とがある。アーム収納状態とは、アーム２９をアーム連結部３１に嵌合させるように下降させた状態であり、この収納状態にして回診用Ｘ線装置１を移動させるようにしている。アーム解放状態とは、アーム２９をアーム連結部３１から解放させるように上昇させた状態であり、この解放状態にしてＸ線撮影を行う。
【００２０】
アーム連結部３１には例えばマイクロスイッチが設けられており、アーム連結部３１がアーム２９の嵌合部（図示省略）に嵌合したこと、つまり、アーム２９が収納状態にあることがこのマイクロスイッチによって検知できるようになっている。
【００２１】
回診用Ｘ線装置１の異常状態としては、この回診用Ｘ線装置１が正常に機能できないような状態や、曝射ができないような故障が発生している状態などがある。これらの状態は、Ｘ線管装置３等のＸ線撮影系や走行系や電源系（充電系）などの装置をモニタリング（状態検知）することで検出することができる。
【００２２】
さらに、図１に示すように、実施例の回診用Ｘ線装置１は、多色発光表示および点滅表示を行う発光表示部５３が、カバー１１におけるＸ線制御パネル７近傍の傾斜面の所定位置（図２参照）と、コリメータ５の正面側の所定位置とにそれぞれ設けられている。発光表示部５３は、その表示面が水平方向から見えるように配置されているので、発光表示部５３の表示面の視認性に優れる。
【００２３】
図５に示すように、発光表示部５３は、多色発光光源としての多色発光ＬＥＤ（多色発光ダイオード）５９と、反射体６１とを備えている。
【００２４】
多色発光ＬＥＤ５９は、所定値の電流が供給されることで赤色に発光するＲ（赤）発光部と、所定値の電流が供給されることで緑色に発光するＧ（緑）発光部と、所定値の電流が供給されることで青色に発光するＢ（青）発光部とを備えたものである。この多色発光ＬＥＤ５９は、Ｒ（赤）発光部とＧ（緑）発光部との両方にそれぞれ所定値の電流を供給することで赤色光および緑色光を発生させ、Ｒ（赤）発光部から発せられた赤色光とＧ（緑）発光部から発せられた緑色光との合成によって黄色光を得ることができるし、各発光部に供給する電流値やＤｕｔｙ等を適宜に変更することでその他の色も発光生成することができる。
【００２５】
反射体６１は、多色発光ＬＥＤ５９で発せられた光が入射面Ｉから内部に導入されて、内部で光を乱反射させて拡散し、出射面Ｏ全体から光を出射して、反射体６１の出射面Ｏ全体が点灯するものである。図５に示す入射面Ｉおよび出射面Ｏでは光の入出は可能であるがそれ以外の面から光が入出しないようになっている。反射体６１の材質としては、例えば、ガラスファイバーや導光性の高いゴムなどがあり、その他の種々の材質のものを採用してもよい。このように、点状の光源である多色発光ＬＥＤ５９のからの光を反射体６１に入射させて、この反射体６１の内部で光を拡散させて反射体６１の出射面Ｏから出射させることで、点発光を面発光に変換し、出射面Ｏ（十分に視認できる程度の大きさの表示面）を光らすことができる。
【００２６】
記憶部５５は、回診用Ｘ線装置１の状態ごとに予め定められた発光表示部５３の表示態様データを記憶している。この表示態様データは、例えば、アーム収納状態では発光表示部５３を無点灯（消灯）とし、アーム解放状態では発光表示部５３を青点灯とし、撮影準備完了状態では発光表示部５３を緑点灯とし、Ｘ線撮影中状態では発光表示部５３を黄点灯とし、Ｘ線曝射完了状態では発光表示部５３を青点滅とし、Ｘ線管装置３等のＸ線撮影系や走行系や電源系（充電系）などのエラー状態（回診用Ｘ線装置１の異常状態）では発光表示部５３を赤点灯とするためのデータである。
【００２７】
表示制御部５７は、状態検知部５１からの検知結果に対応する、記憶部５５に記憶済みの表示態様データに基づいて、発光表示部５３を表示制御する。具体的には、状態検知部５１からの検知結果、例えばアーム解放状態であることが検知されたとすると、表示制御部５７は、アーム解放状態に対応する、記憶部５５に記憶済みの表示態様データ、つまり、発光表示部５３を青点灯させることを得て、発光表示部５３を青点灯させるように表示制御するのである。
【００２８】
なお、上述した状態検知部５１が本発明の状態検知手段に相当し、上述した発光表示部５３が本発明の発光表示手段に相当し、上述した記憶部５５が本発明の記憶手段に相当し、上述した表示制御部５７が本発明の制御手段に相当する。また、状態検知部５１による実施例装置１の状態検知が本発明の状態検知過程に相当し、表示制御部５７による状態検知結果に基づく発光表示部５３の表示制御が本発明の制御過程に相当する。
【００２９】
続いて、前述した構成の実施例装置１の状態に応じて変更される発光表示部５３の表示動作について、図６を参照しながら具体的に説明する。図６は実施例装置の状態に応じて発光表示部の表示態様を変更することを示すフローチャートである。
【００３０】
〔ステップＳ１〕まず、図６に示すように、実施例装置１のアーム２９がアーム収納状態であるときには、状態検知部５１はアーム収納状態を検知し、表示制御部５７は、状態検知部５１からの検知結果（アーム収納状態）に対応する記憶部５５に記憶済みの表示態様データ（発光表示部５３を無点灯させるというデータ）を得て、発光表示部５３を無点灯とする。
【００３１】
〔ステップＳ２〕例えば、アーム収納状態である実施例装置１が操作者によって患者の方に移動させられて、実施例装置１が所望位置でブレーキ部（図示省略）によって固定され、カセッテ上に載置された患者の関心部位上にＸ線管装置３を位置させるために操作者の操作によってアーム２９を解放すると、状態検知部５１はアーム解放状態を検知し、表示制御部５７は、状態検知部５１からの検知結果（アーム解放状態）に対応する記憶部５５に記憶済みの表示態様データ（発光表示部５３を青点灯させるというデータ）を得て、発光表示部５３を青点灯させる。
【００３２】
〔ステップＳ３〕そして、操作者はハンドスイッチ２１を把持したままで本実施例装置１から離れ、このハンドスイッチ２１のボタン部分を１段目まで押し込むことでＸ線曝射準備が入力操作される。Ｘ線曝射準備が完了すると、状態検知部５１は撮影準備完了状態を検知し、表示制御部５７は、状態検知部５１からの検知結果（撮影準備完了状態）に対応する記憶部５５に記憶済みの表示態様データ（発光表示部５３を緑点灯させるというデータ）を得て、発光表示部５３を緑点灯させる。
【００３３】
〔ステップＳ４〕そして、操作者は、ハンドスイッチ２１の１段目まで押し込まれたボタン部分をさらに押し込んでＸ線曝射開始を入力操作する。状態検知部５１はＸ線曝射中状態を検知し、表示制御部５７は、状態検知部５１からの検知結果（Ｘ線曝射中状態）に対応する記憶部５５に記憶済みの表示態様データ（発光表示部５３を黄点灯させるというデータ）を得て、Ｘ線曝射中状態にある期間において発光表示部５３を黄点灯させる。
【００３４】
〔ステップＳ５〕そして、Ｘ線曝射が完了すると、状態検知部５１はＸ線曝射完了状態を検知し、表示制御部５７は、状態検知部５１からの検知結果（Ｘ線曝射完了状態）に対応する記憶部５５に記憶済みの表示態様データ（発光表示部５３を所定期間青点滅させた後に青点灯させるというデータ）を得て、発光表示部５３を所定期間青点滅させた後に青点灯させる。
【００３５】
〔ステップＳ６〕なお、上述のステップＳ３にて、操作者によるハンドスイッチ２１のボタン部分の１段目への押し込みが解除されたり、所定期間以上にわたってハンドスイッチ２１のボタン部分の２段目への押し込みが行われなかった場合には、状態検知部５１は操作無効状態を検知し、表示制御部５７は、状態検知部５１からの検知結果（操作無効状態）に対応する記憶部５５に記憶済みの表示態様データ（発光表示部５３を青点灯させるというデータ）を得て、発光表示部５３を青点灯させる。
【００３６】
なお、回診用Ｘ線装置１が前述の異常状態にある場合、回診用Ｘ線装置１が正常に機能できないような状態や、曝射ができないような故障が発生している状態にある場合には、状態検知部５１は異常状態を検知し、表示制御部５７は、状態検知部５１からの検知結果（異常状態）に対応する記憶部５５に記憶済みの表示態様データ（発光表示部５３を赤点灯させるというデータ）を得て、発光表示部５３を赤点灯させる。
【００３７】
上述したように本実施例装置１によれば、状態検知部５１は回診用Ｘ線装置１の状態を検知し、発光表示部５３は多色発光表示および点滅表示を行うものであり、記憶部５５は回診用Ｘ線装置１の状態ごとに予め定められた発光表示部５３の表示態様データを記憶していて、表示制御部５７は、状態検知部５１からの検知結果に対応する、記憶部５５に記憶済みの表示態様データに基づいて、発光表示部５３を表示制御するので、回診用Ｘ線装置１の状態を発光表示部５３の表示態様、つまり、発光表示部５３の発光色および点滅によって表示することができ、使用者は発光表示部５３の発光色および点滅を見ることで回診用Ｘ線装置１から離れたところからでも瞬時にこの回診用Ｘ線装置１の状態を的確に知ることができる。
【００３８】
具体的には、状態検知部５１は、Ｘ線撮影系のＸ線撮影に関する状態と、Ｘ線撮影系の展開収納状態と、回診用Ｘ線装置１の異常状態とのうちの少なくとも１つをＸ線診断装置の状態として検知するので、Ｘ線撮影系のＸ線撮影に関する状態や、Ｘ線撮影系の展開収納状態や、回診用Ｘ線装置１の異常状態などを、発光表示部５３の表示態様、つまり、発光表示部５３の発光色および点滅によって表示することができ、使用者は発光表示部５３の発光色および点滅を見ることで回診用Ｘ線装置１から離れたところからでも瞬時にこの回診用Ｘ線装置１の状態を的確に知ることができる。
【００３９】
また、発光表示部５３は、その表示面が水平方向から見えるように配置されているので、発光表示部５３の表示面の視認性に優れる。
【００４０】
この発明は、上記の実施例に限られるものではなく、以下のように変形実施することも可能である。
【００４１】
（１）実施例装置では、図３に示すように、Ｘ線制御パネル７に撮影準備完了表示部４１とＸ線撮影中表示部４３と装置準備表示部４５と警告表示部４７と故障表示部４９とを設けているが、発光表示部５３により本装置１の状態が表示されているので、撮影準備完了表示部４１とＸ線撮影中表示部４３と装置準備表示部４５と警告表示部４７と故障表示部４９とを無くすことでＸ線制御パネル７の省スペース化を図るようにしてもよい。
【００４２】
（２）実施例装置では、発光表示部５３の発光色および点滅によって実施例装置１の状態を表示しているが、発光表示部５３の発光色を変化させるかまたは発光表示部５３を単一色で点灯ないし点滅させることのみによって実施例装置１の状態を表示するようにしてもよい。例えば、発光表示部５３を単一色で点灯ないし点滅させて実施例装置１の状態を表示する一例としては、次のようなものがある。アーム解放状態では発光表示部５３を点灯させ、Ｘ線曝射準備完了状態では発光表示部５３を点滅させ、アーム収納状態では発光表示部５３を無点灯（消灯）させる。また、点滅間隔を変えることで、実施例装置１の他の状態を表示させるようにしてもよい。
【００４３】
（３）実施例装置では、回診用Ｘ線装置１のカバー１１とコリメータ５とに発光表示部５３を設けているが、発光表示部５３の配置位置はこれに限定されるものではなく、任意の位置に適宜に配置してもよい。
【００４４】
（４）実施例装置では、回診用Ｘ線装置１のカバー１１表面とコリメータ５の正面側の表面とに反射体６１を設けているが、例えばＸ線制御パネル７等に球状のトラックボールを設け、このトラックボールを反射体６１として用いて多色に光らせたり点滅させたりしてもよい。
【００４５】
（５）実施例装置は、ハンドスイッチ２１を採用しているが、ハンドスイッチ２１に替えて、例えば、回診用Ｘ線装置１を遠隔操作できるリモコン（リモートコントローラ）など、各種の入力操作手段を採用してもよい。
【００４６】
（６）実施例装置は、回診用Ｘ線装置１としているが、この発明のＸ線診断装置は、回診用Ｘ線装置１に限られるものではなく、例えばＸ線透視撮影装置など各種のＸ線撮影装置に適用することができる。
【図面の簡単な説明】
【００４７】
【図１】実施例に係る回診用Ｘ線装置の外観斜視図である。
【図２】実施例装置のカバー部分の斜視図である。
【図３】Ｘ線制御パネルの平面図である。
【図４】本実施例装置での発光表示部の制御構成を示すブロック図である。
【図５】本実施例の発光表示部の構成を示す概略斜視図である。
【図６】実施例装置の状態に応じて発光表示部の表示態様を変更することを示すフローチャートである。
【符号の説明】
【００４８】
１ … 回診用Ｘ線装置
５１ … 状態検知部（状態検知手段）
５３ … 発光表示部（発光表示手段）
５５ … 記憶部（記憶手段）
５７ … 表示制御部（制御手段）
【図１】
2008259881.tif 000003
【図２】
2008259881.tif 000004
【図３】
2008259881.tif 000005
【図４】
2008259881.tif 000006
【図５】
2008259881.tif 000007
【図６】
2008259881.tif 000008